(57)【特許請求の範囲】
【請求項１】
軸筒の側面に開口部が形成され、その開口部にノックボタンが突出した状態で配置されると共に、前記軸筒の内部に筆記体繰り出し機構が配置され、その筆記体繰り出し機構の作動を前記ノックボタンの押圧操作によってなしたサイドノック式筆記具であって、前記筆記体繰り出し機構に傾斜したカム面を設けると共に、そのカム面に係合する前記ノックボタンに係合部を設けたサイドノック式筆記具において、前記カム面を異なる傾斜角度を有する複数のカム面から構成すると共に、その複数のカム面のうち、頂部側のカム面の傾斜角度をその頂部側のカム面に連続するカム面の傾斜角度よりも小さく形成し、また、前記頂部側のカム面の長さをその頂部側のカム面に連続するカム面の長さよりも短くしたことを特徴とするサイドノック式筆記具。
【請求項２】
前記ノックボタンの係合部を傾斜面としたことを特徴とする請求項１記載のサイドノック式筆記具。
【請求項３】
前記筆記体繰り出し機構にシャープペンシルの芯を収納すると共に、その鉛筆芯を筆記体繰出し機構によって繰り出したことを特徴とする請求項１、或いは、請求項２に記載のサイドノック式筆記具。
【請求項４】
前記軸筒の後部に消去具を配置したことを特徴とする請求項１〜請求項３の何れかに記載のサイドノック式筆記具
【発明の詳細な説明】
【技術分野】
【０００１】
本発明は、軸筒の側面に開口部が形成され、その開口部にノックボタンが突出した状態で配置されると共に、前記軸筒の内部に筆記体繰り出し機構が配置され、その筆記体繰り出し機構の作動を前記ノックボタンの押圧操作によってなしたサイドノック式筆記具であって、前記筆記体繰り出し機構に傾斜したカム面を設けると共に、そのカム面に係合する前記ノックボタンに係合部を設けたサイドノック式筆記具に関する。
【背景技術】
【０００２】
従来から軸筒の後端もしくは軸筒の側面に配置されたノックボタンを押圧することにより、前記軸筒内に配置されている筆記体を繰り出す筆記具が知られている。前記筆記体の１例としては、黒や赤、青などのボールペン体、シャープペンシルの芯、或いは、鉛筆芯などがある。
【０００３】
前軸部と後軸部から構成される筆記具本体の後軸部に副筆記体を有し、前軸部が後軸部に対して着脱自在に取り付けられ、前記後軸部を取り除くことによって、前軸部の後方からシャープペンシルの芯を入れることが可能なサイドノック式筆記具が知られている。
その一例が、特開平９−２３４９８９号公報に記載の筆記具である。以下、詳述する。筆記具本体の前軸部には、シャープペンシルの芯を繰り出す芯繰り出し機構が配置されている。また、前軸部の側面には開口部が形成されており、その開口部には前記芯繰り出し機構を作動せしめるサイドボタンが突出した状態で配置されている。前記芯繰り出し機構の中間部には、傾斜したカム部材が設けられており、前記サイドボタンが当接し、摺動し得るようになっている。一方、前記後軸部には消しゴム繰出し機構が配置されており、その消しゴム繰り出し機構の操作ボタンを移動させることによって消しゴムが出没するようになっている。
次に、使用方法について説明する。サイドボタンを押圧すると、そのサイドボタンが前記傾斜したカム部材を押圧前進させる。このカム部材の前進によって芯を把持していたチャックも前進し、やがてチャックが拡開する。これによって芯が繰り出される。尚、突出した状態にある芯を没入させたい場合には、再びサイドボタンを押圧してチャックを拡開させる。そして、その拡開動作を維持した状態で、芯を指などによって没入させる。勿論、チャックを拡開させた状態で紙面や机などに芯を押し当て没入させても良い。
また、芯で描いた文字を消去する場合には、消しゴム繰り出し機構の操作ボタンを後方に向けてスライドさせる。これによって、消しゴムが突出する。使用後、消しゴムを格納したい場合には、操作ボタンを逆の方向に移動させればよい。
【特許文献１】特開平９−２３４９８９号公報。
【発明の開示】
【発明が解決しようとする課題】
【０００４】
チャックに芯が把持されていない場合、通常、そのチャックは弾撥部材によって芯を把持している位置よりも後方に移動している。その芯が把持されていない例としては、シャープペンシルの組み立て時や芯の使用による消費がある。つまり、前記チャックを接続している芯繰り出し機構も、芯が把持されている場合に比し後方に位置することになる。
そして、後方に位置してしまうと、芯繰り出し機構に設けられている前記傾斜したカム面も後方に位置してしまうことになり、その結果、サイドボタンが傾斜したカム面の頂部に位置してしまう危険性があった。即ち、サイドボタンがカム面の頂部に位置してしまうと押圧することができなくなり、芯の繰り出しができなくなってしまうのである。
そこで、芯を把持していない場合であっても、芯繰り出し機構の後退を極力抑えようと、弾撥部材の弾発力を軽減させることも試みられたが、チャックの芯に対する把持力が弱まってしまい、その結果、筆記時の筆圧により芯が没入してしまうといった不具合が発生してしまった。
これらの問題の発生を恐れ、使用者は、シャープペンシルの押圧動作の状態や、芯の有無などを常に意識し注意を図らなければならなかった。
【課題を解決するための手段】
【０００５】
本発明は、上記の課題に鑑みてなされたものであって、軸筒の側面に開口部が形成され、その開口部にノックボタンが突出した状態で配置されると共に、前記軸筒の内部に筆記体繰り出し機構が配置され、その筆記体繰り出し機構の作動を前記ノックボタンの押圧操作によってなしたサイドノック式筆記具であって、前記筆記体繰り出し機構に傾斜したカム面を設けると共に、そのカム面に係合する前記ノックボタンに係合部を設けたサイドノック式筆記具において、前記カム面を異なる傾斜角度を有する複数のカム面から構成すると共に、その複数のカム面のうち、頂部側のカム面の傾斜角度をその頂部側のカム面に連続するカム面の傾斜角度よりも小さく形成し、また、前記頂部側のカム面の長さをその頂部側のカム面に連続するカム面の長さよりも短くしたことを特徴としている。
【発明の効果】
【０００６】
本発明は、軸筒の側面に開口部が形成され、その開口部にノックボタンが突出した状態で配置されると共に、前記軸筒の内部に筆記体繰り出し機構が配置され、その筆記体繰り出し機構の作動を前記ノックボタンの押圧操作によってなしたサイドノック式筆記具であって、前記筆記体繰り出し機構に傾斜したカム面を設けると共に、そのカム面に係合する前記ノックボタンに係合部を設けたサイドノック式筆記具において、前記カム面を異なる傾斜角度を有する複数のカム面から構成すると共に、その複数のカム面のうち、頂部側のカム面の傾斜角度をその頂部側のカム面に連続するカム面の傾斜角度よりも小さく形成し、また、前記頂部側のカム面の長さをその頂部側のカム面に連続するカム面の長さよりも短くしているので、万が一、筆記体繰り出し機構のカム面の頂部にノックボタンが位置したとしても、異なる傾斜角度を有するカム面によって良好な押圧動作が得られる。
【発明を実施するための最良の形態】
【０００７】
作用について説明する。筆記具本体の内部のカム部材のカム面を異なる２つ以上の角度を設けたので、芯の有無や部品のバラツキ、組立時のバラツキに関わらず、チャックと連結している筆記体繰り出し機構のカム面と摺動しているノックボタンがカム面の頂部に形成されている角度が異なるカム面に乗り上げるため、スムーズな押圧動作が得られる。これによって、使用者は筆記具のノックボタンの状態や、芯の有無などを意識せずに使用し、且つ、芯の補充が容易に行える。また、必要以上にノックボタンが軸筒の側面から突出することもない。
【０００８】
本発明の実施の形態の１例を図１〜図６に示し、説明する。本実施例は、先金部1と前軸部２と後軸部３から構成されている。
先金部１はステンパイプ４、戻り止め５、先金６の計３部品から構成されている。前軸部２は前軸７、チャック８、リング９、テーパースライド１０、スプリング１１、ノックボタン１２、シャープペンシル芯１３の計７部品から構成されている。後軸部３は後軸１４、クリップ１５、回転軸１６、消しゴム受け１７、消しゴム１８の計５部品から構成されている。
【０００９】
前記先金部１の樹脂材質からなる先金６の内径部には、金属材質からなるステンパイプ４とゴム状弾性体からなる戻り止め５が圧入・固定されている。また、先金６の内面には、雌ねじ部６ａが形成されており、前記前軸７の前端に形成された雄ねじ部７ａと螺合されている。
前記前軸部２の前記前軸７の中間部の側面には、開口部７ｂが設けられ、その開口部７ｂにはノックボタン１２が軸線方向に対して垂直な方向に移動可能に配置されている。前記ノックボタン１２は、その横断面形状がほぼコ字型をしており、また、ノックボタン１２の側面にはツバ部１２ａが形成されている、そのツバ部１２ａは、前記開口部７ｂの幅より大きく形成されており、前記前軸７の開口部７ｂからは外れないようになっている。前記ノックボタン１２の内側面にはテーパー状の突部からなるカム面１２ｂが前後の位置に施されており、前記前軸７内に摺動自在に配置されたテーパースライド１０の前後に設けられたテーパー状のカム面１０ａと摺動可能に当接されている。また、前記ノックボタン１２は組立性を考慮して前後対称となっているが、デザイン上の制約により前後非対称でも良い。即ち、ノックボタン１２を前後対称にすることによって、ノックボタン１２の前後の方向を気にすることなく、前軸７に組み付けることが可能になるのである。
前記テーパースライド１０のカム面１０ａについて説明する。前記カム面１０ａは平面状の斜面で構成されており、その斜面の角度は軸線に対して２５〜６５度の範囲で形成されている。平面上の斜面で構成している理由としては、前記ノックボタン１２を押圧する力を面で受け、チャックの拡開に必要な力と押圧した距離（ノックストローク）を一定（比例）に伝えるためである。仮にカム面１０ａ、１０ｃが曲面だった場合、ノックボタン１２を押圧した時、常に押圧した力を点で受けてしまうので、時間の経過で変形などを起こし、摺動に影響を及ぼしてしまう恐れが出てくる。またノックボタンを押圧し、ノックボタンが進んでいる距離に対して曲面では一定（比例）に伝えられず、ノックボタンが進んでいる距離とチャックの拡開に必要な軸線方向に進んでいる距離が食い違ってしまい、ノック動作に違和感を与えてしまう。
更に斜面の角度については軸線に対して４５°であれば、ノックボタンを押圧して進む距離1に対してチャックが軸線方向に進む距離も1となり、後端でノックする感覚に近い感覚が得られる。製品の軸径やノックボタンの出っ張り、チャックの拡開に必要なノックストロークによりその角度は前後する。
前記カム面１０ｃは前方に配置している前記カム面１０ａの上方に配置している。前記カム面１０ｃは前記カム面１０ａと同様に平面上の斜面で構成されていて、斜面の角度も軸線に対して２５〜６５度の範囲で形成されているが、前記カム面１０ａよりは小さく形成されている。例えば、カム面１０ａを４５度に形成した場合には、カム面１０ｃを４０度に形成する。
【００１０】
また、前記前軸７の内面には、前記テーパースライド１０が軸線方向に摺動自在に内装されているが、前軸７の内面に形成された平面部７ｃによって相対的な回転が防止されている。そのテーパースライド１０の軸線方向の前方には、チャック８が圧入などの手段によって固定されており、そのチャック８の前方にはリング９が囲繞している。符号１１は、コイルスプリングなどの弾撥部材であり、前記チャック８やテーパースライド１０などを後方に向けて付勢している。
前記リング９は、前軸７の端面部よりも前方に位置しており、そのリング９の後端部は、前軸７の前端開口部よりも大径なツバ部９ａが形成されている。そして、そのツバ部９ａは、前軸７の先端面７ｄと当接し、且つ、前記チャック８のテーパー面８ａと前記リング９の内径部９ｂと当接しているため、前記チャック８やテーパースライド１０の前軸７から後方へ向けての脱落が防止されている。
この時、前記スプリング１１は、圧入固定されて一体となったチャック８とテーパースライド１０を常に後方へ向けて付勢している。これによって、前記前軸７とテーパースライド１０の間にスプリング１１が配置されているので前方へも脱落しないようになっている。
前記芯１３はテーパースライド１０の内径部１０ｂに複数本内蔵されている。つまり、テーパースライド１０の内径部が、芯の収納部となっている。その芯１３は前記内径部１０ｂの前方部を経てチャック８の内径部８ｂに達している。そして、そのチャック８が芯１３の外周面１３ａを把持しているが、その把持動作は前記スプリング１１がチャック８を後方に付勢することにより、チャック８がリング９によって閉鎖せしめられることによってなされる。
【００１１】
組立時や芯を補充する時など、チャック８の内径部８ｂに芯１３が把持されていない場合、その把持されていない分、前記チャック８のテーパー面８ａの外径が若干、小さくなり、その小さくなった分、前記チャック８と一体になっているテーパースライド１０がスプリング１１の力により軸線方向で後退してしまう。
それと同時に前記テーパースライド１０のカム面１０ａと当接しているノックボタン１２のカム面１２ｂによって前軸７の開口部７ａに沿ってノックボタン１２が軸線方向から垂直方向へ移動する。
この時、カム面１０ｃを配置したことにより、芯を把持していない場合であっても、ノックボタン１２が傾斜したカム面１０ａの頂部に位置してしまう危険性がなくなり、即ち、ノックボタン１２がカム面１０ａの頂部に位置してしまうと押圧することができなくなり、芯の繰り出しができなくなってしまうことが防げるのである。これにより、芯がない状態でも軽快にノック動作が行える。
【００１２】
前記後軸部３の後軸１４の外周には、クリップ受け部１４ａが形成されており、そのクリップ受け部１４ａにはクリップ１５が固定されている。また、回転軸１６は後軸１４に内包され、前記後軸１４の後端面１４ｂと前記回転軸１６の段部１６ａが当接し、且つ、前記後軸１４の係止部１４ｃと回転軸１６の凹部１６ｂにより前後不動で回転自在に配置されている。回転軸１６には、長手方向の対向する位置に案内溝１６ｄが形成されており、また、後軸１４の内面には、螺旋溝１４ｅが形成されている。
さらに、前記回転軸１６の下方には、凸部１６ｃが形成されており、その凸部１６ｃは後軸１４の内径部１４ｄに対して軽く圧入されている。つまり、回転軸１６と後軸１４との相対的な回転は、前記凸部１６ｃの内径部１４ｄに対する軽圧入により摩擦抵抗が付与された状態での回転動作となるのである。この摩擦抵抗が付与されることによって、字消し時、消しゴム１８が容易には没入しないようになっている。前記消しゴム受け１７は回転軸１６に内包され、且つ、前記回転軸１６の案内溝１６ｄには消しゴム受け１７の凸部１７ａが摺動可能に嵌り込んでいる。
【００１３】
前記消しゴム受け１７に形成されている突起部１７ｂは、前記後軸１４の螺旋溝部１４ｅに嵌り込まれている。また、前記消しゴム１８は前記消しゴム１８の端部に形成されている係止部１８ａと前記消しゴム受け１７の内径部に形成されている係止部１７ｃにより固定されているが、前記消しゴム１８が弾性変形することによって着脱が可能となっている。
そして、前記前軸７と前記回転軸１６とを相対的に回転させることによって、消しゴム受け１７は螺旋状に回転しながら軸線方向を摺動し、前記消しゴム１８が出没することが可能となる。
【００１４】
前軸部２と後軸部３は、前軸７の後方の内径部に形成された凸状の４点リブ７ｅと後軸１４の前方に形成された全周凹部１４ｆとの嵌合によって連結されているものの、着脱が自在になっている。尚、芯１３を補充する場合には、前記後軸部３を後方へ引き抜き、次いで、芯をテーパースライド１０の内径部１０ｂに挿入・補充すれば良い。前記後軸部３を前軸部２へ再び嵌合させたい場合には、前軸７の４点リブ７ｅと後軸１４の全周凹部１４ｆを嵌合させればよい。
【産業上の利用可能性】
【００１５】
本実施例では、カム面１０ａは軸線方向に対して５０度、カム面１０ｃは軸線方向に対して４０度に形成されており、その角度差は１０度としているが製品によっては１〜３０度の角度差をつけても良い。
その角度差をつけている理由としては、芯を把持していない場合であっても、ノックボタン１２が傾斜したカム面１０ａの頂部に位置してしまう危険性がなくなり、即ち、ノックボタン１２がカム面１０ａの頂部に位置してしまうと押圧することができなくなってしまうが、本発明の構成を採れば芯の繰り出しが行えなくなってしまう状態を防止できるのである。これにより、芯がない状態でも軽快にノック動作が行える。
また、部品の寸法上のばらつきや組立上のばらつきによりテーパースライド位置が軸線方向の前後にばらついてしまう可能性もある。これらのばらつきを吸収するためも角度差を設けている。本実施例では２つの異なるカム面を設けているが、３つ以上形成しても良い。
さらに、本実施例では、カム面１０ｃを前方に位置するカム面１０ａのみに設けているが、後方のカム面１０ａに、或いは、双方のカム面１０ａに設けても良い。尚、前方のカム面１０ａに設ける理由としては、前軸７を把持した状態でノックボタン１２を押圧する際、後方のカム面１０ａに作用する力よりも前方のカム面１０ａにより多くの力が作用するからである。
【００１６】
第２例を図７に示し説明する。軸筒１９の内側には、赤色や青色などのインキが充填されたボールペン体２０が前後動可能に配置されている。また、軸筒１９の内側には、テーパースライド２１も前後動可能に配置されており、前記ボールペン体２０の中間部を囲繞している。そのテーパースライド２１の前後には、傾斜したカム面２１ａが形成されており、ノックボタン２２が接触している。前記カム面２１ａの頂部には、前例と同様にカム面２１ａよりも小さな角度のカム面２１ｂが形成されている。
さらに、テーパースライド２１の前方には、デビットカム機構２３などの出没機構が配置されている。そのデビットカム機構２３は、摺動子２３ａやその摺動子２３ａの前方に噛合した回転子２３ｂなどから構成されている。そして、その回転子２３ａの前端面は、前記ボールペン体２０の前方に形成された膨出部２０ａに当接している。その膨出部２０ａの前方には、ボールペン体２などを後方に向けて付勢するコイルスプリングなどの弾撥部材２４が配置されている。
本例においても、カム面２１ａの頂部にそのカム面２１ａよりも小さな角度のカム面２１ｂが形成されているため、仮に、テーパースライド２１などに寸法上のばらつきが発生したとしてしまってもスムーズにノックボタンの押圧操作を行うことができる。
【図面の簡単な説明】
【００１７】
【図１】本発明のサイドノック式筆記具の実施例斜視図である。
【図２】本発明のサイドノック式筆記具の実施例切断斜視図である。
【図３】図１のサイドノック式筆記具のクリップ側を正面とした時の右側面断面図である。
【図４】図１のサイドノック式筆記具の分解斜視図である。
【図５】本発明のテーパースライド９の斜視図である。
【図６】本発明のテーパースライド９のカム面１０ａ、１０ｃの拡大斜視図である。
【図７】第２例を示すサイドノック式筆記具のクリップ側を正面とした時の右側面断面図である。
【符号の説明】
【００１８】
１    先金部
２    前軸部
３    後軸部
４    ステンパイプ
５    戻り止め
６    先金
６ａ  雌ねじ部
７    前軸
７ａ  雄ねじ部
７ｂ  開口部
７ｃ  平面部
７ｄ  先端面
７ｅ  ４点リブ
８    チャック
８ａ  テーパー面
８ｂ  内径部
９    リング
９ａ  ツバ部
９ｂ  内径面
１０    テーパースライド
１０ａ  カム面
１０ｂ  内径部
１０ｃ  カム面
１１    スプリング
１２    ノックボタン
１２ａ  ツバ部
１２ｂ  カム面
１２ｃ  角部
１３    シャープペンシル芯
１３ａ  外周面
１４    後軸
１４ａ  クリップ受け部
１４ｂ  後端面
１４ｃ  係止部
１４ｄ  内径部
１４ｅ  螺旋溝部
１４ｆ  全周凹部
１５    クリップ
１６    回転軸
１６ａ  段部
１６ｂ  凹部
１６ｃ  凸部
１６ｄ  案内溝
１７    消しゴム受け
１７ａ  凸部
１７ｂ  突起部
１７ｃ  係止部
１８    消しゴム
１８ａ  係止部
１９    軸筒
２０    ボールペン体
２１    テーパースライド
２１ａ  カム面
２１ｂ  カム面
２２    ノックボタン
２３    デビットカム機構
２３ａ  摺動子
２３ｂ  回転子
２４    弾撥部材
【図１】
0005433975.tif 000002
【図２】
0005433975.tif 000003
【図３】
0005433975.tif 000004
【図４】
0005433975.tif 000005
【図５】
0005433975.tif 000006
【図６】
0005433975.tif 000007
【図７】
0005433975.tif 000008